(57)【要約】【課題】本発明は、加熱された金網ドラムの回転により融雪する、除雪と融雪を移動しながら処理することが可能な、バーナーを利用した融雪装置を提供する。【解決手段】除雪部８のスクリューオーガ７を駆動させながらホイールローダー部２を徐行前進させて道路上の雪を集雪し、シュート２１を介して送雪オーガ２２に送り、該送雪オーガ２２から振り分けオーガ２３に除雪した雪を落下させて左右の金網ドラム４内に除雪した雪を供給する。金網ドラム４に送られた雪は、バーナー５の燃焼筒１７に加熱されつつ回転する金網ドラム４により融雪され、水又は蒸気となって金網ドラム４の網目から落下又は上昇し、カバードラム１２の蒸気排出孔１４から蒸気が融雪部６の排気筒２８から外気に放出されると共に、融雪水は蒸気排出孔１４から融雪部６の底部に排出される。【選択図】図１
2018188855.tif 000002
【特許請求の範囲】
【請求項１】
駆動装置及び油圧装置を搭載し道路上を走行可能なタイヤを具備するホイールローダー部と、該ホイールローダー部の支持アームに上下動可能に取付けされ、回転する金網ドラムと該金網ドラムを加熱するバーナーとを備えた融雪部と、該融雪部の前方に固定され、道路上の雪をスクリューオーガにより集雪し、前記融雪部に給送する除雪部とからなることを特徴とするバーナーを利用した融雪装置。
【請求項２】
前記ホイールローダー部の進行方向に沿って配置した金網ドラム及び該金網ドラムの外側に同心円状に固定されたカバードラムからなる融雪体を設け、該融雪体を前方へ傾けて前記ホイールローダー部の進行方向に沿って並列に２基配置することを特徴とする請求項１記載のバーナーを利用した融雪装置。
【請求項３】
前記金網ドラムは、カバードラムに同心円状に取り付け固定され、前記カバードラムと一体となって回転し、また前記カバードラムは、外周面に蒸気を排出する細長孔の蒸気排出孔を複数列形成していると共に、回転駆動側にチェーンを巻回固定して駆動用歯車とし、前記チェーンの外側端には左右方向のズレ止めの丸棒を巻回固定することを特徴とする請求項１記載のバーナーを利用した融雪装置。
【請求項４】
前記金網ドラムのそれぞれの内側上部にバーナーを配置し、前記バーナーの燃焼筒を大径部と小径部とを交互に形成して燃焼効率を高め、前記金網ドラムの全長に渡って配置することを特徴とする請求項２又は３記載のバーナーを利用した融雪装置。
【発明の詳細な説明】
【技術分野】
【０００１】
本発明は、除雪と融雪を移動しながら処理することが可能な、バーナーを利用した融雪装置に関する。
【背景技術】
【０００２】
雪国の降雪積雪地方では降り積もった雪の処理にブルドーザーなどの重機を利用して除雪を行っている。しかし、幹線道路から外れた住宅街等の道路ではブルドーザーで除雪した雪の捨て場がなくて、道路脇に積み重なった状態で放置される。そのため、各個人が自宅前をスコップなどの除雪具を利用して自主的に除雪をしなければならなかったし、特に高齢者の場合にはそのようなこともできなく、苦情の原因ともなっていた。
【０００３】
そこで、積雪寒冷地における道路の機能維持に最も不可欠な除雪と融雪を同時に処理することが可能な自走式直熱融雪装置が知られている（特許文献１を参照）。
この公知技術は、車両に搭載されスクリューロータリーにより送られた雪を受入れる受入部を有する融雪槽と、この融雪槽の内部に設けられて雪を破砕する破砕装置と、前記融雪槽の下部に設けられ融雪槽の内部に熱風を送り込んで融雪槽内の雪を融雪する燃焼バーナーと、前記車両に搭載され前記融雪槽内の融雪水を排出する排水ポンプとを具備した自走式直熱融雪装置である。
【０００４】
また、適宜移動しながら、降った雪をその場で溶かしてしまう自走式融雪装置が知られている（特許文献２を参照）。
この公知技術は、融雪槽内に雪を投入しておき、バーナーを作動させると、バーナーからの熱風と煙は煙出口管から第１煙道に入り、この第１煙道を蛇行しながら第２煙道を通り外気に排出される。掛かる工程において融雪槽の水室内の水は加温され熱湯となり、蒸気となって蒸気パイプより噴出し融雪槽内の雪を融雪する自走式融雪装置である。
【０００５】
上記いずれの公知技術も、融雪槽内に熱風又は蒸気を送り込んで雪を融雪するものであり、降り積もったばかりの雪（柔らかい雪）又は乾燥した雪（パウダースノー）の場合には有効に作動するが、降り積もってしばらくした雪（硬い雪）や水分を含んだ雪（シャーベットスノー）の場合には融雪が困難である等の不具合があった。
【先行技術文献】
【特許文献】
【０００６】
【特許文献１】特開平１０−２３７８３６号公報
【特許文献２】実公平６−２１９３７号公報
【発明の概要】
【発明が解決しようとする課題】
【０００７】
本発明は、加熱された金網ドラムの回転により融雪する、除雪と融雪を移動しながら処理することが可能な、バーナーを利用した融雪装置を提供することを目的とする。
【課題を解決するための手段】
【０００８】
本発明のバーナーを利用した融雪装置は、駆動装置及び油圧装置を搭載し道路上を走行可能なタイヤを具備するホイールローダー部と、該ホイールローダー部の支持アームに上下動可能に取付けされ、回転する金網ドラムと該金網ドラムを加熱するバーナーとを備えた融雪部と、該融雪部の前方に固定され、道路上の雪をスクリューオーガにより集雪し、前記融雪部に給雪する除雪部とからなる。
【発明の効果】
【０００９】
本発明のバーナーを利用した融雪装置は、降り積もってしばらくした雪（硬い雪）や水分を含んだ雪（シャーベットスノー）の場合でも、加熱され回転する金網ドラムにより融雪されるので、除雪と融雪を移動しながら処理することが可能である。
【図面の簡単な説明】
【００１０】
【図１】本発明のバーナーを利用した融雪装置の左側面図である。
【図２】図１のＡ−Ａ矢視拡大断面図である。
【図３】カバードラムの左側面図である。
【図４】バーナーの左側面図である。
【図５】振り分けオーガの平面図である。
【発明を実施するための形態】
【００１１】
本発明のバーナーを利用した融雪装置の一実施例を添付図面に基づいて、以下に説明する。
図１の左側面図に示すように、本発明のバーナーを利用した融雪装置は、駆動装置及び油圧装置（図示省略）を搭載し道路上を走行可能なタイヤ１を具備するホイールローダー部２と、該ホイールローダー部２の支持アーム３に上下動可能に取付けされ、回転する金網ドラム４と該金網ドラム４を加熱するバーナー５とを備えた融雪部６と、該融雪部６の前方に固定され、道路上の雪をスクリューオーガ７により集雪し、前記融雪部６に給送する除雪部８とからなる。
なお、番号２９は基台、３０は橇（そり）、３１は油タンクである。
【００１２】
前記ホイールローダー部２の運転室９でオペレーターが、油圧シリンダー１０により支持アーム３、リンク機構１１を介して前記融雪部６及び除雪部８を道路面から適宜上下位置させ、道路上の雪をスクリューオーガ７により集雪し、前記融雪部６に給送する。
【００１３】
運転室９側から見た図２の図１のＡ−Ａ矢視拡大断面図に示すように、前記ホイールローダー部２の進行方向に沿って配置した金網ドラム４及び該金網ドラム４の外側に同心円状に固定されたカバードラム１２からなる融雪体１３を設け、該融雪体１３を進行方向前方へ傾けて前記ホイールローダー部２の進行方向に沿って並列に２基配置する。
前記金網ドラム４は、カバードラム１２に同心円状に取り付け固定され、前記カバードラム１２と一体となって回転し、また前記カバードラム１２は、図３の左側面図に示すように、外周面に蒸気を排出する細長孔の蒸気排出孔１４を複数列形成していると共に、回転駆動側（図面上左側）にチェーン１５を巻回固定して回転駆動用歯車とする。
前記チェーン１５の外側端には左右方向のズレ止めの丸棒１６を巻回固定する。
【００１４】
図４の左側面図に示すように、前記金網ドラム４のそれぞれの内側上部にバーナー５を配置し、前記バーナー５の燃焼筒１７を大径部１８と小径部１９とを交互に形成して燃焼効率を高め、前記金網ドラム４の全長に渡って配置する。なお、番号３２はＵ字状に形成し、バーナー５側へ熱気を戻す排気ダクトである。
また、図２に示すように、前記金網ドラム４のそれぞれの内側下部に棒線状のオーガスクリュー２０を配置し、該オーガスクリュー２０を金網ドラム４の全長に渡って配置し、前記オーガスクリュー２０が不純物ゴミを自動選別して金網ドラム４に沿って端部方向へ排出する。
図５の平面図に示すように、前記除雪部８からシュート２１を介して送雪オーガ２２により送られてきた雪は、前記送雪オーガ２２の端部から振り分けオーガ２３に落下し、前記振り分けオーガ２３により左右方向に分岐されて、それぞれの金網ドラム４内部に投入される。
【００１５】
次に、本発明のバーナーを利用した融雪装置の操作動作を添付図面に基づいて、以下に説明する。
幹線道路では、ホイールローダー部２の支持アーム３を持ち上げて道路面から融雪部６及び除雪部８を離した状態で走行し、現場に到着したら前記支持アーム３を駆動して適宜位置に前記融雪部６及び除雪部８を設置する。
一方、バーナー５を燃焼させて燃焼筒１７を赤熱させて上方に位置する金網ドラム４を加熱させる。
図２に示す油圧モータ２４を駆動し巻回チェーン２５を走行させてチェーンスプロケット２６を回転させ、該チェーンスプロケット２６に噛合い係合している図４に示すカバードラム１２のチェーン１５を回転させる。
このチェーン１５、すなわちカバードラム１２に回転により一体となっている前記金網ドラム４は回転させられる。前記カバードラム１２は、外周３個所をコロ２７で支持されているので、回転にブレなどの支障はない。
【００１６】
除雪部８のスクリューオーガ７を駆動させながらホイールローダー部２を徐行前進させて道路上の雪を集雪し、シュート２１を介して送雪オーガ２２に送り、図５に示す前記送雪オーガ２２から振り分けオーガ２３に除雪した雪を落下させて左右の金網ドラム４内に除雪した雪を供給する。
前記金網ドラム４に送られた雪は、バーナー５の燃焼筒１７に加熱されつつ回転する金網ドラム４により融雪され、水又は蒸気となって金網ドラム４の網目から落下又は上昇し、カバードラム１２の蒸気排出孔１４から蒸気が融雪部６の排気筒２８から外気に放出されると共に、融雪水は蒸気排出孔１４から融雪部６の底部に排出される。
【００１７】
このようにして、本発明のバーナーを利用した融雪装置は、降り積もってしばらくした雪（硬い雪）や水分を含んだ雪（シャーベットスノー）であってもスクリューオーガ７を駆動させながら徐行前進させて除雪し、バーナー５の燃焼筒１７に加熱されつつ回転する金網ドラム４により融雪するので、除雪と融雪を移動しながら処理することが可能である。
【符号の説明】
【００１８】
１  タイヤ
２  ホイールローダー部
３  支持アーム
４  金網ドラム
５  バーナー
６  融雪部
７  スクリューオーガ
８  除雪部
９  運転室
１０  油圧シリンダー
１１  リンク機構
１２  カバードラム
１３  融雪体
１４  蒸気排出孔
１５  チェーン
１６  丸棒
１７  燃焼筒
１８  大径部
１９  小径部
２０  オーガスクリュー
２１  シュート
２２  送雪オーガ
２３  振り分けオーガ
２４  油圧モータ
２５  巻回チェーン
２６  チェーンスプロケット
２７  コロ
２８  排気筒
２９  基台
３０  橇（そり）
３１  油タンク
【図１】
2018188855.tif 000003
【図２】
2018188855.tif 000004
【図３】
2018188855.tif 000005
【図４】
2018188855.tif 000006
【図５】
2018188855.tif 000007